(57)【要約】【課題】撮影用照明装置において、照明光の照射光軸の方向を３方向以上に設定できるとともに、各照明光の照射光軸を容易に変更できるようにする。【解決手段】撮影に用いる照明光を形成する複数の光源部と、これらの複数の光源部を支持する本体部２とを備える照明装置１であって、複数の光源部は、照明光の照射光軸の方向が本体部２に対して相対的に固定されている光源部である固定光源部３と、本体部２に傾動可能に固定されることにより、照明光の本体部２に対する照射光軸の方向を互いに独立に変えることができる光源部である可動光源部４Ｒ、４Ｍ、４Ｌと、を含む、照明装置１を用いる。【選択図】図４
2014081474.tif 000002
【特許請求の範囲】
【請求項１】
撮影に用いる照明光を形成する複数の光源部と、該複数の光源部を支持する装置本体部とを備える撮影用照明装置であって、
前記複数の光源部は、
照明光の照射光軸の方向が前記装置本体部に対して相対的に固定されている固定光源部と、
前記装置本体部に傾動可能に固定されることにより、照明光の前記装置本体部に対する照射光軸の方向を互いに独立に変えることができる複数の可動光源部と、
を含む、撮影用照明装置。
【請求項２】
前記複数の光源部のうちの１以上の光源部は、照明光の色温度が変更可能な色温度可変光源からなる
ことを特徴とする、請求項１に記載の撮影用照明装置。
【請求項３】
前記色温度可変光源は、色温度が異なる光を発生する複数のＬＥＤ光源を備え、該複数のＬＥＤ光源の発光量を制御することにより、照明光の色温度を変更する
ことを特徴とする、請求項２に記載の撮影用照明装置。
【請求項４】
前記装置本体部は、
前記色温度可変光源が形成する照明光の色温度を変更する色温度設定操作部を備える
ことを特徴とする、請求項２または３に記載の撮影用照明装置。
【請求項５】
前記複数の可動光源部は、
前記固定光源部の照射光軸に交差する３以上の異なる方向に向けて照明光を照射可能な３以上の光源部からなる
ことを特徴とする、請求項１〜４のいずれか１項に記載の撮影用照明装置。
【請求項６】
前記可動光源部は、
前記固定光源部の照射光軸に交差する方向に延びる第１の軸線回りに回動する回動支持部と、
前記第１の軸線に対して傾動する傾動支持部と、
によって支持されている
ことを特徴とする、請求項１〜５のいずれか１項に記載の撮影用照明装置。
【請求項７】
請求項２〜４のいずれか１項に記載の撮影用照明装置と、
撮像光学系を有する撮像装置本体と、
を備え、
該撮像装置本体は、
前記撮影用照明装置の前記色温度可変光源が形成する照明光の色温度を変更する色温度設定操作部を
備える、撮像装置。
【発明の詳細な説明】
【技術分野】
【０００１】
本発明は、撮影用照明装置および撮像装置に関する。
【背景技術】
【０００２】
従来、例えば、カメラ、ビデオ等の撮像装置は、例えば、曇天、夜間、逆光などの撮影条件によって被写体に対する照明が不十分となり、適正露出が得られない場合に、ストロボや補助ライト等の撮影用照明装置を用いて被写体を照明することが行われている。このような撮影用照明装置は、撮像装置に内蔵されていたり、一体に取り付けられていたりすることが多い。
しかし、このような撮影用照明装置は、被写体に対して簡易的に適正露出が得られる利点はあるものの、照明光の照射方向や色温度が限られているため、全体としてはかえって不自然な画像になってしまう場合がある。例えば、撮像光軸と照明光の照射光軸が異なることにより被写体の輪郭に沿って発生する濃い影は、そのような不自然な画像の例である。
このため、例えば、特許文献１には、カメラに複数の発光手段を備えることによって、発光手段が発光した光に起因する黒い影の発生を減少させて自然な画像を得ることを目的として、「発光手段が補助光を発光して被写体を撮影する発光装置付きカメラにおいて、発光ダイオードから構成される第１の発光手段及び発光ダイオードから構成される第２の発光手段が発光する補助光の光質を調節する発光制御手段を備え、前記第１の発光手段と前記第２の発光手段とを異なる場所に設けたことを特徴とする発光装置付きカメラ」が記載されている。
特許文献１では、第１の発光手段と、第２の発光手段とを撮像光軸を挟んで、左右対称な位置に配置し、撮像光軸と平行な方向に照明光を照射することにより、被写体の周囲に発生する影を和らげることと、補助光の光質として補助光の色温度を変えることにより、発生する影の色を変えることとが記載されている。
【先行技術文献】
【特許文献】
【０００３】
【特許文献１】特開２００３−２１５６７３号公報
【発明の概要】
【発明が解決しようとする課題】
【０００４】
しかしながら、上記のような従来技術には、以下の問題があった。
特許文献１に記載の技術では、補助光の照射方向、照射位置が固定されているため、被写体の周囲に発生する影の程度を変えることができるだけである。しかも、被写体の左右（カメラの構え方によっては上下）に影が必ず発生するため、人工的な照明を用いたことがすぐ分かるという意味ではやはり不自然な写真になってしまうという問題がある。
人間は、両目で見ることで被写体を立体的に見ているため、２次元の画像を見る場合にも、被写体の陰影により立体感が出ている画像が一般には自然に感じられる。
また、撮影シーンでは、撮影時間や撮影場所などによって、照明光の色温度が異なり、主要な光源の他に周囲の配置物から反射される二次的な光も、被写体の陰影に寄与している。
このため、画像の印象を自然にしたり、より好印象を与えるようにしたりするため、多くの撮影では、複数の方向から照明光を当てるとともに、バウンス板、ディフューザなどを被写体の周囲に配置して、被写体上の陰影を調整している。しかも、これらの照明光は、色温度を必要に応じて変えたり、色温度の異なる照明光を混ぜることが好ましい。このような照明には、多くの機材と、照明助手の協力とが必要となっている。
しかしながら、従来の撮像装置に設けられた撮影用照明装置では、このような撮影に容易に対応できる装置は知られていない。
【０００５】
本発明は、上記のような問題に鑑みてなされたものであり、照明光の照射光軸の方向を３方向以上に設定できるとともに、各照明光の照射光軸を容易に変更することができる撮影用照明装置および撮像装置を提供することを目的とする。
【課題を解決するための手段】
【０００６】
上記の課題を解決するために、本発明の第１の態様の撮影用照明装置は、撮影に用いる照明光を形成する複数の光源部と、該複数の光源部を支持する装置本体部とを備える撮影用照明装置であって、前記複数の光源部は、照明光の照射光軸の方向が前記装置本体部に対して相対的に固定されている固定光源部と、前記装置本体部に傾動可能に固定されることにより、照明光の前記装置本体部に対する照射光軸の方向を互いに独立に変えることができる複数の可動光源部と、を含む構成とする。
【０００７】
また、上記撮影用照明装置では、前記複数の光源部のうちの１以上の光源部は、照明光の色温度が変更可能な色温度可変光源からなることが可能である。
【０００８】
また、色温度可変光源を備える上記撮影用照明装置では、前記色温度可変光源は、色温度が異なる光を発生する複数のＬＥＤ光源を備え、該複数のＬＥＤ光源の発光量を制御することにより、照明光の色温度を変更することが可能である。
なお、本明細書では、「ＬＥＤ」は、Light Emitting Diodeの略称であり、発光ダイオードを意味する。
【０００９】
また、色温度可変光源を備える上記撮影用照明装置では、前記装置本体部は、前記色温度可変光源が形成する照明光の色温度を変更する色温度設定操作部を備えることが可能である。
【００１０】
上記撮影用照明装置では、前記複数の可動光源部は、前記固定光源部の照射光軸に交差する３以上の異なる方向に向けて照明光を照射可能な３以上の光源部からなることが可能である。
【００１１】
上記撮影用照明装置では、前記可動光源部は、前記固定光源部の照射光軸に交差する方向に延びる第１の軸線回りに回動する回動支持部と、前記第１の軸線に対して傾動する傾動支持部と、によって支持されていることが可能である。
【００１２】
本発明の第２の態様の撮像装置は、色温度可変光源を備える上記撮影用照明装置と、撮像光学系を有する撮像装置本体と、を備え、該撮像装置本体は、前記撮影用照明装置の前記色温度可変光源が形成する照明光の色温度を変更する色温度設定操作部を備える構成とする。
【発明の効果】
【００１３】
本発明の撮影用照明装置および撮像装置によれば、複数の光源部が固定光源部と複数の可動光源部とを含むため、照明光の照射光軸の方向を３方向以上に設定できるとともに、各照明光の照射光軸を容易に変更することができるという効果を奏する。
【図面の簡単な説明】
【００１４】
【図１】本発明の第１の実施形態の撮影用照明装置および撮像装置を用いた撮影の様子を示す模式的な斜視図である。
【図２】本発明の第１の実施形態の撮影用照明装置および撮像装置の概略構成を示す模式的な斜視図である。
【図３】図２におけるＡ視の背面図である。
【図４】本発明の第１の実施形態の撮影用照明装置の概略構成を示す模式的な斜視図である。
【図５】本発明の第１の実施形態の撮影用照明装置の固定光源部の主要部を示す照射光軸に沿う模式的な断面図である。
【図６】本発明の第１の実施形態の撮影用照明装置に用いるＬＥＤ光源の一例および他例を示す模式的な正面図である。
【図７】図６におけるＣ−Ｃ断面図である。
【図８】本発明の第１の実施形態の撮影用照明装置に用いる可動光源部の模式的な平面図および正面図である。
【図９】本発明の第１の実施形態の撮影用照明装置および撮像装置のシステム構成を示すブロック図である。
【図１０】本発明の第１の実施形態の撮影用照明装置の色温度設定操作部を示す模式図である。
【図１１】本発明の第１の実施形態の撮影用照明装置の動作説明図である。
【図１２】本発明の第１の実施形態の撮影用照明装置および撮像装置の作用を説明する画像例の模式図である。
【図１３】本発明の第１の実施形態の第１変形例の撮影用照明装置に用いるＬＥＤ光源の一例および他例を示す模式的な正面図である。
【図１４】本発明の第２の実施形態の撮影用照明装置の概略構成を示す模式的な斜視図である。
【図１５】本発明の第３の実施形態の撮像装置の概略構成を示す模式的な斜視図である。
【発明を実施するための形態】
【００１５】
以下では、本発明の実施形態について添付図面を参照して説明する。すべての図面において、実施形態が異なる場合であっても、同一または相当する部材には同一の符号を付し、共通する説明は省略する。
【００１６】
［第１の実施形態］
本発明の第１の実施形態の撮影用照明装置および撮像装置について説明する。
図１は、本発明の第１の実施形態の撮影用照明装置および撮像装置を用いた撮影の様子を示す模式的な斜視図である。図２は、本発明の第１の実施形態の撮影用照明装置および撮像装置の概略構成を示す模式的な斜視図である。図３は、図２におけるＡ視の背面図である。図４は、本発明の第１の実施形態の撮影用照明装置の概略構成を示す模式的な斜視図である。図５は、本発明の第１の実施形態の撮影用照明装置の固定光源部の主要部を示す照射光軸に沿う模式的な断面図である。図６（ａ）、（ｂ）は、本発明の第１の実施形態の撮影用照明装置に用いるＬＥＤ光源の一例および他例を示す模式的な正面図である。図７は、図６（ａ）におけるＣ−Ｃ断面図である。図８（ａ）、（ｂ）は、本発明の第１の実施形態の撮影用照明装置に用いる可動光源部の模式的な平面図および正面図である。図９は、本発明の第１の実施形態の撮影用照明装置および撮像装置のシステム構成を示すブロック図である。図１０は、本発明の第１の実施形態の撮影用照明装置の色温度設定操作部を示す模式図である。
【００１７】
図１、２に示すように、本実施形態の撮像装置であるカメラ３０は、種々の撮影シーンに応じて被写体の静止画像または動画像を撮像するデジタルカメラであり、被写体の像を取得する撮像光学系であるレンズ部３２と、レンズ部３２が装着されレンズ部３２による被写体の像を図示略の撮像素子で撮像するカメラ本体３１（撮像装置本体）と、被写体Ｓに撮影用の照明光を照射する照明装置１（撮影用照明装置）とを備える。
【００１８】
図１には、カメラ３０が用いられる撮影シーンの一例として、サイドランプなどの発光体Ｌから温白色の人工光を受ける人物を主要な被写体Ｓとした屋内撮影の例が示されている。
この撮影シーンの被写体Ｓは、背景壁１０１と側面壁１０２とで囲まれた部屋の隅部に配置されたベッド１０４上に横たわっている。天井１０３に設けられた図示略の主照明は光量が落とされているため、被写体Ｓは、主としてベッド１０４の側方に配置された発光体Ｌによって、頭部および上半身を中心として照明されている。これにより、被写体Ｓの背景部ＢＧは、発光体Ｌの照明範囲では明るく、照明範囲外では相対的に暗くなっている。また、被写体Ｓは、発光体Ｌによって横方向から照明されることにより、発光体Ｌと反対側に影が形成されやすくなっている。
カメラ３０は、ベッド１０４の前方の床面１００上の三脚３８に支持され、レンズ部３２の光軸を被写体Ｓの頭部の方に向けて配置されている。
また、照明装置１は、カメラ本体３１の上部に接続されている。
【００１９】
以下では、カメラ３０に関する相対的な方向を説明する場合、特に断らない限り、リリースボタン３９（図２参照）が上側となり、撮影フレームの長手方向およびレンズ部３２の光軸が水平となる向きにカメラ３０を置いた姿勢に基づいて説明する。
このため、図１の配置では、カメラ本体３１の上部は天井１０３に向いており、カメラ本体３１の下部は、床面１００に向いている。また、レンズ部３２が設けられたカメラ本体３１の前方には被写体Ｓが位置している。
【００２０】
カメラ本体３１の背面には、図３に詳細を示すように、撮像された画像や映像を表示したり、操作に必要なＧＵＩ（グラフィカルユーザーインタフェース）からなる操作画面や入力情報を表示したりする液晶モニタ３４と、液晶モニタ３４に表示される操作画面上でカーソル移動や決定などの操作入力を行う十字ボタン３５と、カメラ３０の動作モード、例えば、静止画撮影モード、動画撮影モード、再生モード、操作入力モード等を切り替えたりする複数の操作ボタン３７とが設けられている。
また、カメラ本体３１の上部には、照明装置１をカメラ本体３１内の図示略の制御手段と通信可能に接続するホットシュー３３と、撮影モードなど設定するモードダイヤル３６とが設けられている。
操作入力モードに切り替える操作ボタン３７が操作されると、液晶モニタ３４には、ツリー構造を有するＧＵＩ操作画面が表示され、十字ボタン３５を用いて、操作メニューの選択や操作入力、設定を行うことができるようになっている。
この操作には、照明装置１の発光モードの操作が含まれる。
【００２１】
図３、４に示すように、照明装置１の概略構成は、本体部２（装置本体部）、接続部８、固定光源部３（図３には図示略、図４参照。光源部、色温度可変光源）、可動光源部４（光源部、色温度可変光源）、および操作部９（図４には図示略、図３参照）を備える。
【００２２】
本体部２は、略直方体状の筐体２ａで覆われた箱状に設けられ、筐体２ａの下面から突出された接続部８を介してカメラ本体３１のホットシュー３３と着脱可能に固定されている。
図４に示すように、本体部２の前面には、固定光源部３が埋め込まれており、本体部２の上面には、３つの可動光源部４が並列して設けられている。本実施形態では、各可動光源部４の構成は同一である。以下では、可動光源部４のそれぞれを区別する必要がある場合には、本体部２の背面側から見て、右側から左側に向かって、可動光源部４Ｒ、４Ｍ、４Ｌと称することにする。
本体部２の内部には、図示は省略するが、固定光源部３および可動光源部４を駆動したり制御したりする駆動回路、制御回路等を含む電装部が設けられている。
本体部２の背面には、図３に示すように、照明装置１の操作や動作設定を行うための操作部９が設けられている。
【００２３】
固定光源部３は、図５に示すように、照射光軸Ｏ３を光軸とする照明光を形成する発光素子部１０Ａと、発光素子部１０Ａを実装するとともに発光素子部１０Ａを駆動する回路部１１ａ（図５では図示略、図９参照）が形成された回路基板１１と、筐体２ａの前面に設けられた矩形状の開口２ｂに嵌め込まれたフレネルレンズ３ａと、発光素子部１０Ａから出射される照明光をフレネルレンズ３ａに向けて反射するため、回路基板１１と筐体２ａとの間に発光素子部１０Ａの側方を囲むように設けられた反射板３ｂとを備える。
発光素子部１０Ａは、その照射光軸Ｏ３をフレネルレンズ３ａの光軸に合わせた位置に配置されている。これにより、照射光軸Ｏ３は、筐体２ａの前面に直交する方向に固定されている。
すなわち、固定光源部３は、照明光の照射光軸Ｏ３の方向が本体部２に対して相対的に固定されている光源部を構成している。
フレネルレンズ３ａは、発光素子部１０Ａから出射される照明光を適宜発散または集光するための光学素子である。
【００２４】
発光素子部１０Ａは、図６（ａ）に示すように、回路基板１１に三種類の白色ＬＥＤ１０ａ、１０ｂ、１０ｃ（ＬＥＤ光源）が、矩形状領域内に２次元格子状に配列された素子群からなり、照明光は、これらの白色ＬＥＤ１０ａ、１０ｂ、１０ｃからそれぞれ放射された光束を重ね合わせて構成される。白色ＬＥＤ１０ａ、１０ｂ、１０ｃの出射光束の中心軸の向きは、いずれも回路基板１１に直交する方向に揃えられている。
このため、発光素子部１０Ａは、白色ＬＥＤ１０ａ、１０ｂ、１０ｃが配列された矩形状領域を発光領域とする擬似的な面発光光源になっている。
白色ＬＥＤ１０ａ、１０ｂ、１０ｃのそれぞれの個数は、特に限定されず、それぞれ同数でもよいし、異なる個数でもよい。また、本実施形態では、互いに異なる種類同士が隣接するように配置しているが、同種のものが隣接するように配列してもよい。
白色ＬＥＤ１０ａ、１０ｂ、１０ｃの違いは色温度の違いである。本実施形態では、一例として、それぞれの色温度を３５００Ｋ、５４００Ｋ、７０００Ｋとしている。
このため、発光素子部１０Ａでは、白色ＬＥＤ１０ａ、１０ｂ、１０ｃの発光量を、０から最大値までの間の適宜値に変化させるとともに、発光個数を制御することで、固定光源部３から出射される照明光の色温度および発光量を変更することが可能である。
例えば、照明光の色温度は、２０００Ｋから１００００Ｋまで段階的に変更できるようになっている。
このように、発光素子部１０Ａは、照明光の色温度が変更可能な色温度可変光源を構成している。
【００２５】
白色ＬＥＤ１０ａ、１０ｂ、１０ｃの構成の一例について、図７に示す白色ＬＥＤ１０ａ、１０ｂの例で説明する。
白色ＬＥＤ１０ａは、回路基板１１上でバンク部１４に囲まれた矩形領域の内部に、青色光を発光する複数の青色ＬＥＤチップ１２がダイボンド材１３を介して固定され、そのチップ面上を覆うように蛍光材料１７Ａが積層されている。
また、各青色ＬＥＤチップ１２は、互いにボンディングワイヤ１６によって接続されるとともに、電流を供給するためバンク部１４内に配線された金属配線１５ともボンディングワイヤ１６を介して接続されている。
蛍光材料１７Ａは、青色光を照射すると黄色光が誘起される特性を有するものを採用している。
このため、青色ＬＥＤチップ１２に電流が供給され青色光が発生すると、一部の青色光が蛍光材料１７Ａを透過し、その他の青色光が蛍光材料１７Ａに当たって黄色光を誘起するため、これらが混色して白色光が出射される。
ここで、白色ＬＥＤ１０ａの色温度は、青色光と黄色光との発生比率によって決まるため、青色ＬＥＤチップ１２上に積層される蛍光材料１７Ａの厚さｔ１によって変化する。
本実施形態では、厚さｔ１は、色温度が３５００Ｋになるように予め調整されている。
【００２６】
白色ＬＥＤ１０ｂは、白色ＬＥＤ１０ａの蛍光材料１７Ａに代えて青色ＬＥＤチップ１２上の厚さがｔ１よりも薄いｔ２である蛍光材料１７Ｂを備える点のみが、白色ＬＥＤ１０ａと異なる。本実施形態では、厚さｔ２は、色温度が５４００Ｋになるように予め調整されている。
また、特に図示しないが、同様にして、白色ＬＥＤ１０ｃは、青色ＬＥＤチップ１２上に、色温度が７０００Ｋになるように予め調整された厚さを有する蛍光材料が積層されている。
【００２７】
なお、白色ＬＥＤ１０ａ、１０ｂ、１０ｃは、それぞれのバンク部１４内の青色ＬＥＤチップ１２の個数を変更することにより、それぞれの発光量を変化させることができる。このため、１個当たりの青色ＬＥＤチップ１２を増加することで、発光素子部１０Ａと同等の発光量を有する３個の白色ＬＥＤ１０ａ、１０ｂ、１０ｃを形成することも可能である。
したがって、本実施形態の発光素子部１０Ａに代えて、図６（ｂ）に示すような白色ＬＥＤ１０ａ、１０ｂ、１０ｃがそれぞれ１個ずつ配置された発光素子部１０Ｂを採用することも可能である。
また、図示は省略するが、発光素子部１０Ａの各白色ＬＥＤ１０ａ、１０ｂ、１０ｃにおいて、青色ＬＥＤチップ１２がそれぞれ１個からなる構成も可能である。
【００２８】
このような発光素子部１０Ａ、１０Ｂによれば、いずれもＬＥＤ光源を用いるため、例えば、キセノン管を用いたストロボに比べると、簡素な構成となり、周辺回路構成も含めた部品点数を削減し、軽量化、小型化を図ることができる。
また、発光素子部１０Ａ、１０Ｂに用いるＬＥＤ光源は、青色ＬＥＤチップ１２と蛍光材料１７Ａ等の蛍光材料とを積層させた構成を有するため、例えば、赤色ＬＥＤ、緑色ＬＥＤ、青色ＬＥＤを組み合わせた白色ＬＥＤの構成と比べると、チップ数が少ないため、安価に製造することができ、小型化が可能である。
【００２９】
可動光源部４は、図８（ａ）、（ｂ）に示すように、回動支持部５と、投光部６とを備える。
回動支持部５は、先端部が半円状に丸められ、基端部に筐体２ａの上面に貫通された軸受部２ｃに挿通されて、筐体２ａの上面に回動軸線Ｏ５（第１の軸線）を中心として回転可能に嵌合する回動軸部５ｂを備える軸状部材である。
回動軸線Ｏ５は、固定光源部３の照射光軸Ｏ３に交差する方向に延びる軸線であり、本実施形態では、一例として、照射光軸Ｏ３に直交する方向に延ばされている。
軸受部２ｃを貫通した回動軸部５ｂの端部には、筐体２ａの内部と摩擦抵抗によって回動支持部５の回動位置を一時的に固定するストッパ５ｄが取り付けられている。
また、回動軸部５ｂの内部には、図示略の配線を挿通するための配線挿通孔５ｃが形成されている。
回動支持部５の先端側の半円形状の中心には、投光部６を回動軸線Ｏ５に対して１軸方向に傾動させるため、回動軸線Ｏ５に直交する回動軸線Ｏ７回りに回動する軸状部材からなる傾動支持部７が貫通して設けられている。
回動支持部５の側面には、傾動支持部７が延びる方向に対向し、回動軸線Ｏ７と直交する２平面をなす傾動ガイド部５ａが形成されている。
【００３０】
傾動支持部７は、回動支持部５の内部に設けられた図示略の支持部材との摩擦によって、傾動位置が固定されている。また、この支持部材には、投光部６とカメラ本体３１との間の図示略の配線の電気接続を行う回転接点が設けられており、傾動支持部７が回動しても、図示略の配線の電気接続が保たれるようになっている。
【００３１】
投光部６は、先端側に開口６ｅを有し、開口６ｅと略同じ大きさの内周面が筒状に延ばされた光源収容部６ｃと、光源収容部６ｃの基端側の側部から光源収容部６ｃの延在方向に延ばされ、回動支持部５の半円状に丸められた端部を跨いで傾動支持部７を中心として回動可能に設けられた一対のアーム部６ｄとを備える。
アーム部６ｄの形状は、例えば、回動支持部５の各傾動ガイド部５ａを間に挟む板状とされ、回動支持部５の半円状に丸められた端部と干渉しない回動半径を確保した位置で、傾動支持部７と連結されている。
また、アーム部６ｄの内部には、図示略の配線が形成され、傾動支持部７との連結部において、傾動支持部７内の配線に電気的に接続されている。
【００３２】
光源収容部６ｃは、その内部に、照射光軸Ｏ４を光軸とする照明光を形成する発光素子部２０Ａと、発光素子部２０Ａを実装するとともに発光素子部２０Ａを駆動する回路部２１ａ（図５では図示略、図９参照）が形成された回路基板２１と、光源収容部６ｃの開口に嵌め込まれたフレネルレンズ６ａと、発光素子部２０Ａから出射される照明光をフレネルレンズ６ａに向けて反射するため、回路基板２１とフレネルレンズ６ａとの間に発光素子部２０Ａの側方を囲むように設けられた反射板６ｂとを備える。
発光素子部２０Ａは、照射光軸Ｏ４をフレネルレンズ６ａの光軸に合わせた位置に配置されている。これにより、照射光軸Ｏ４は、開口６ｅおよび光源収容部６ｃの内周面の中心軸線に沿う方向に固定されている。
フレネルレンズ６ａは、発光素子部２０Ａから出射される照明光を適宜発散または集光するための光学素子である。
【００３３】
発光素子部２０Ａは、図６（ａ）に示すように、発光素子部１０Ａと同様に複数の白色ＬＥＤ１０ａ、１０ｂ、１０ｃを備える。ただし、これら白色ＬＥＤ１０ａ、１０ｂ、１０ｃの配置個数を、可動光源部４に必要な色温度範囲、発光量可変範囲に応じて設定した点が、発光素子部１０Ａと異なる。
例えば、照明光の色温度は、２０００Ｋから１００００Ｋまで段階的に変更できるようになっており、発光量は、固定光源部３の最大発光量を可変できるようになっている。
このように、発光素子部２０Ａは、照明光の色温度が変更可能な色温度可変光源を構成している。
【００３４】
固定光源部３における発光素子部１０Ａの場合と同様に、可動光源部４の発光素子部２０Ａも、図６（ｂ）に示すような白色ＬＥＤ１０ａ、１０ｂ、１０ｃがそれぞれ１個ずつ配置された発光素子部２０Ｂに置き換えることも可能である。
【００３５】
発光素子部２０Ａ（２０Ｂ）は、発光素子部１０Ａ（１０Ｂ）と同様の構成を有するため、同様に、安価に製造することができ、小型化が可能であるため、本体部２に複数設ける必要がある可動光源部４を構成するために特に好適である。
【００３６】
このような構成により、各可動光源部４は、回動軸線Ｏ５を中心とした回動支持部５の回動（図８（ａ）の矢印ａ参照）と、回動軸線Ｏ７回りの回転による回動軸線Ｏ５に対する投光部６の傾動（図８（ｂ）の矢印ｂ参照）とを独立に組み合わせることで、照射光軸Ｏ４の回動軸線Ｏ５に対する２軸方向の傾動量を変更できる。
本実施形態では、一例として、回動支持部５の回動範囲を、本体部２の前方を０°として、０°から±１８０°とし、投光部６の傾動範囲を、投光部６が本体部２の前方を向いた傾動角度を９０°としたとき、０°から９０°としている。これにより、回動および傾動の中心から半球面の任意方向に照射光軸Ｏ４を向けること可能である。
また、回動支持部５の回動範囲を、０°から±９０°とし、投光部６の傾動範囲を−９０°から＋９０°とすることも可能である。
【００３７】
ここで、照明装置１の電装部の構成について、図９を参照して説明する。
照明装置１の電装部は、以上に説明した発光素子部１０Ａ、２０Ａの他に、回路基板１１、２１（図９には図示略、図５、図８（ａ）、（ｂ）参照）上に形成された回路部１１ａ、２１ａと、本体部２の内部に設けられたＬＥＤドライバ４３Ｆ、４３Ｒ、４３Ｍ、４３Ｌと、制御部４１と、ＤＣ／ＤＣコンバータ４０と、操作部９とを備える。
【００３８】
回路部１１ａ（２０ａ）は、回路基板１１（２１）に配置された白色ＬＥＤ１０ａ、１０ｂ、１０ｃを互いに接続するとともに、これらを個別または適宜のグループごとにスイッチングする回路、温度補償のためのサーミスタ（図示略）などを備える。
ＬＥＤドライバ４３Ｆは、制御部４１からの制御信号に基づいて、固定光源部３の発光素子部１０Ａの各白色ＬＥＤ１０ａ、１０ｂ、１０ｃへの供給電流を制御して、それらの発光量と発光時間とを制御する駆動回路であり、制御部４１、回路部１１ａ、およびＤＣ／ＤＣコンバータ４０に電気的に接続されている。
同様にＬＥＤドライバ４３Ｒ、４３Ｍ、４３Ｌは、制御部４１からの制御信号に基づいて、それぞれ可動光源部４Ｒ、４Ｍ、４Ｌの各白色ＬＥＤ１０ａ、１０ｂ、１０ｃへの供給電流を制御して、それらの発光量と発光時間とを制御する駆動回路であり、制御部４１、各回路部２１ａ、およびＤＣ／ＤＣコンバータ４０に電気的に接続されている。
また、ＬＥＤドライバ４３Ｆ、４３Ｒ、４３Ｍ、４３Ｌには、例えば、動画撮影時など長時間発光による発熱が増大しても出力が安定化できるように、回路部１１ａ、２１ａ上の図示略のサーミスタに接続された温度補償回路が組み込まれている。
【００３９】
制御部４１は、照明装置１の各部の動作を制御するもので、接続部８およびホットシュー３３を介して、カメラ本体３１と通信可能に接続されている。
制御部４１は、カメラ本体３１で設定した発光モードに基づくカメラ本体３１からの制御信号を受信すると、この制御信号と、操作部９を介して設定された設定値とに基づいて、ＬＥＤドライバ４３Ｆ、４３Ｒ、４３Ｍ、４３Ｌを駆動する制御信号を生成し、ＬＥＤドライバ４３Ｆ、４３Ｒ、４３Ｍ、４３Ｌに送信する。
カメラ本体３１から受信する制御信号には、静止画撮影に用いるストロボ発光か、動画撮影に用いる連続発光かの区別と、発光タイミングの情報とが含まれている。ここで、「ストロボ発光」とは、カメラ本体３１のシャッターが開放される間に行う短時間の発光を意味しており、連続的に発光するか、パルス状に発光するかは問わない。「連続発光」は、動画撮影開始から動画撮影終了まで略一定の光量で発光を続ける発光モードである。
【００４０】
制御部４１の装置構成は、本実施形態では、ＣＰＵ、メモリ、入出力インターフェースなどを備えるコンピュータを採用している。
さらに制御部４１には、書き換え可能な不揮発性メモリからなるメモリ４２が接続されており、このメモリ４２に照明装置１の動作を制御する各種の設定値がそれぞれ専用の記憶領域に記憶できるようになっている。これらの設定値には発光素子部１０Ａ、２０Ａの発光量、色温度に関するデフォルトの設定値と、後述する操作によって設定した設定値とが含まれる。
【００４１】
ＤＣ／ＤＣコンバータ４０は、カメラ本体３１から供給されるＤＣ電圧を、照明装置１内で使用するＤＣ電圧に変換して、照明装置１内の電装部に供給するもので、カメラ本体３１の図示略の電源部と接続部８およびホットシュー３３を介して電気的に接続されている。
【００４２】
操作部９は、図９、１０に示すように、メインスイッチ４９、モード操作部４６、リセット操作部５２、第１メモリ操作部４４、第２メモリ操作部４５、発光強度レベル操作部４７、色温度設定操作部４８、および操作画面９ａを備え、図９に示すように制御部４１に電気的に接続されている。
【００４３】
メインスイッチ４９は、照明装置１の電源を手動で投入もしくは切断するための電源スイッチである。
【００４４】
モード操作部４６は、例えば、押圧、接触などによって操作可能な押しボタンスイッチであり、操作を行うごとに操作モードを切り替えることができる。
操作モードとしては、例えば、照明装置１の発光量、色温度を設定して登録を行う設定登録モードと、予め登録された発光量、色温度の条件を読み出す選択モードと、操作を終了し、撮影可能な状態とする設定終了モードとを挙げることができる。
リセット操作部５２は、現在の設定値をデフォルトの設定値に初期化する操作を行うもので、モード操作部４６と同様の押しボタンスイッチを採用することができる。出力制御部５２の操作は、設定登録モードおよび選択モードで有効である。
【００４５】
モード操作部４６が操作されて設定登録モードに切り替えられた場合には、操作画面９ａに設定登録モードに入ったことを明示するメッセージやアイコンが表示される。
設定登録モードは、モード操作部４６が再度操作されるか、リセット操作部５２が操作されるか、または、第１メモリ操作部４４、第２メモリ操作部４５のいずれかが操作されると解除される。
モード操作部４６が操作されて解除された場合、現在の設定値が制御部４１のメモリに保存され、設定が有効化されて、選択モードに移行する。
リセット操作部５２が操作されて解除された場合には、現在の設定値をリセットし、デフォルトの設定値に初期化され、設定終了モードに移行する。
【００４６】
モード操作部４６が操作されて選択モードに切り替えられた場合には、操作画面９ａに選択モードに入ったことを明示するメッセージやアイコンが表示されたり、第１メモリ操作部４４、第２メモリ操作部４５が点灯したり、強調表示されたりする。
選択モードは、モード操作部４６が再度操作されるか、リセット操作部５２が操作されるか、または、第１メモリ操作部４４、第２メモリ操作部４５のいずれかが操作されると解除される。
【００４７】
本モードにおいて、第１メモリ操作部４４、第２メモリ操作部４５が操作される前に、モード操作部４６が操作された場合、現在の設定値を保持して、設定終了モードに移行する。
本モードにおいて、リセット操作部５２が操作された場合、現在の設定値をデフォルトの設定値に初期化して、設定終了モードに移行する。
【００４８】
第１メモリ操作部４４は、例えば、押圧、接触などによって操作可能な押しボタンスイッチである。
第１メモリ操作部４４が設定登録モード時に操作された場合、それまでに設定された発光量、色温度を、後述するメモリ４２（図９参照）に確保された第１の記憶領域に上書き登録する動作を行い、設定終了モードに移行する。
第１メモリ操作部４４が選択モード時に操作された場合、後述するメモリ４２の第１の記憶領域から発光量、色温度の設定を読み出して、操作画面９ａに表示するとともに、後述する制御部４１（図９参照）に設定する動作を行う。
第２メモリ操作部４５は、第１メモリ操作部４４と同様なスイッチであり、メモリ４２上に予め確保された第１の記憶領域とは異なる第２の記憶領域に対して、第１メモリ操作部４４と同様な操作を行う。
このように、選択モードでは、第１メモリ操作部４４、第２メモリ操作部４５のいずれかが操作されると、設定終了モードに移行する。
【００４９】
設定終了モードに移行した場合には、発光強度レベル操作部４７、色温度設定操作部４８、第１メモリ操作部４４、第２メモリ操作部４５の操作がロックされ、操作画面９ａに設定終了モードに入ったことを明示するメッセージやアイコンが表示される。これにより、照明装置１は、制御部４１の制御信号により照明光を出射することが可能になる。
【００５０】
モード操作部４６、リセット操作部５２、第１メモリ操作部４４、第２メモリ操作部４５、メインスイッチ４９は、図１０に示すように、本体部２の背面の下端側に、この順に配置されている。
【００５１】
発光強度レベル操作部４７は、設定登録モードにおいて発光素子部１０Ａ、２０Ａが形成する照明光の発光強度レベルを、それぞれ個別に設定するための操作部である。ここで、照明光の発光強度レベルとは、照明光を形成するのに用いられる白色ＬＥＤ１０ａ、１０ｂ、１０ｃの発光量の総和であり、最低値から最高値までのうちの複数値を選択的に設定できるようになっている。
【００５２】
色温度設定操作部４８は、設定登録モードにおいて発光素子部１０Ａ、２０Ａが形成する照明光の色温度を、それぞれ個別に設定するための操作部である。本実施形態では、発光素子部１０Ａ、２０Ａによって設定可能な色温度のうち最低値から最高値までのうちの複数値を選択的に設定できるようになっている。
【００５３】
発光強度レベル操作部４７、色温度設定操作部４８は、操作対象ごとに一対のものが、操作画面９ａの下方の４箇所の位置に並列して配置されている。操作画面９ａの上方には、それぞれの操作対象が固定光源部３、可動光源部４Ｒ、４Ｍ、４Ｌであることが分かるように、「ＭＡＩＮ」、「ＳＵＢ１」、「ＳＵＢ２」、「ＳＵＢ３」と表示されている。
発光強度レベル操作部４７（色温度設定操作部４８）の具体的な構成は、本実施形態では、それぞれの設定値を１段階上げる押しボタンスイッチ（図示△印）と、それぞれの設定値を１段階下げる押しボタンスイッチ（図示▽印）が上下に対をなして配置されている。
【００５４】
操作画面９ａは、操作部９の操作を補助するための情報を表示する画面である。例えば、発光強度レベル操作部４７、色温度設定操作部４８の操作により選択された色温度および発光強度レベルの設定値を表示したり、現在の操作モードを示すメッセージやアイコンなどを表示したりすることができる。
本実施形態では、各設定値の表示は、図１０に示すように、対応する発光強度レベル操作部４７、色温度設定操作部４８の上側に棒グラフで表示されるようになっている。
すなわち、「ＭＡＩＮ」、「ＳＵＢ１」、「ＳＵＢ２」、「ＳＵＢ３」の各表示の下に、発光強度レベルの設定値を表示する発光強度設定表示部５０と、色温度の設定値を表示する色温度設定表示部５１が表示されるようになっている。
図１０では、操作モードを示すメッセージやアイコンなどの表示は省略している。
操作画面９ａは、例えば、液晶表示パネルやＬＥＤ表示パネルなどを採用することができる。
【００５５】
なお、操作部９は、液晶タッチパネルを用いて構成してもよく、この場合、上記に説明した、押しボタンスイッチや表示画面は、いずれも液晶タッチパネル上のＧＵＩによって構成することが可能である。
【００５６】
次に、カメラ３０の動作について、照明装置１の動作を中心として説明する。
図１１は、本発明の第１の実施形態の撮影用照明装置の動作説明図である。図１２（ａ）、（ｂ）、（ｃ）は、本発明の第１の実施形態の撮影用照明装置および撮像装置の作用を説明する画像例の模式図である。
【００５７】
照明装置１による照明光を用いて、カメラ３０により撮影を行うには、図２に示すように、カメラ３０のホットシュー３３に照明装置１を装着して、カメラ３０の電源を投入した後、照明装置１のメインスイッチ４９を投入する。
これにより、照明装置１が初期化されて、照明装置１にデフォルトの設定値が設定されるとともに操作部９による操作が可能となる。デフォルトの設定値のうち、照明光の発光強度レベルと色温度とは、操作画面９ａに表示される。デフォルトの設定値は、汎用的な照明条件を考慮して予め決められた値が、メモリ４２に記憶されている。
デフォルトの設定値で撮影してもよい場合には、後述するように、各可動光源部４の向きを必要に応じて調整した後、直ちに撮影を開始することができる。
【００５８】
本実施形態の照明装置１では、操作者は、モード操作部４６、第１メモリ操作部４４、または第２メモリ操作部４５を操作することで、デフォルトの設定値を変更することができる。
例えば、モード操作部４６を操作すると、照明装置１は設定登録モードになり、各発光強度レベル操作部４７、各色温度設定操作部４８の操作が有効化される。
操作者は、各発光強度レベル操作部４７、各色温度設定操作部４８を操作することで、固定光源部３、各可動光源部４の発光強度レベル、色温度を個別に設定することができる。
【００５９】
図１に示すような屋内撮影を例にとって、好適な設定例について説明する。
固定光源部３の発光強度は、キャッチアイが得られる程度の低強度に設定し、色温度を従来のストロボ撮影の場合と同様な５４００Ｋに設定する。
一方、各可動光源部４は、バウンス光を形成するための設定とする。すなわち、各可動光源部４の光強度は、照明光をバウンスさせるための反射体との距離や反射体の反射特性に応じて、被写体Ｓおよび背景部ＢＧ上で、それぞれ個別に必要な光強度が得られるように設定する。
各可動光源部４の色温度は、いずれも、３５００Ｋに設定している。これは、色温度をあまり高く設定すると、屋内に強烈な照明が設置されていたり、スタジオでの人工的な環境で撮影されていたりする場合のような不自然な印象になるおそれがあるためである。加えて、図１の撮影シーンでは、屋内の光源が温白色の発光体Ｌのみであるため、照明光も発光体Ｌの色温度に近いことが好ましい。
ただし、各可動光源部４に、それぞれ異なる色温度に設定して、そのミックス光による色味の違う陰影により、立体的な視覚効果を引き出す撮影を行うことも可能である。
【００６０】
固定光源部３、各可動光源部４の発光強度レベル、色温度を設定したら、モード操作部４６を操作して、設定を終了することができる。この場合、設定値は、制御部４１のメモリに記憶され、メインスイッチ４９が切断されるか、再設定が行われるまで有効となる。
これにより、照明装置１の設定が終了する。
この設定を残しておきたい場合には、第１メモリ操作部４４（第２メモリ操作部４５）を操作することにより、メモリ４２の第１の記憶領域（第２の記憶領域）に設定値を保存することができる。
【００６１】
メモリ４２の第１の記憶領域または第２の記憶領域に記憶された設定値を用いる場合には、モード操作部４６を操作して、選択モードに切り替える。
選択モードでは、第１メモリ操作部４４（第２メモリ操作部４５）を操作することで、メモリ４２の第１の記憶領域（第２の記憶領域）の設定値を一括して呼び出すことができる。
このようにして照明装置１の設定を行うこともできる。
【００６２】
次に、カメラ３０の配置を決定し、各可動光源部４の照射光軸の調整を行う。
照明装置１の固定光源部３は、レンズ部３２の光軸と略平行な（平行の場合を含む）照射光軸Ｏ３を有する。このため、固定光源部３から出射される照明光は、図１、１１の照明光Ｌ３のように、被写体Ｓの正面を直接的に照明する光となる。
例えば、図１に示す撮影シーンでは、被写体Ｓが発光体Ｌからの斜め方向の光束で照らされ、背景部ＢＧは相対的に暗くなっている。したがって、図１２（ａ）のような陰影にメリハリのある画像が自然な印象を与える画像であり、写実的な画像としては好ましい画像である。
照明装置１の色温度の設定は、撮影者自身の思い、表現意図等によって自由に設定することができるが、まず、被写体Ｓを照らす光源である発光体Ｌをメイン光源にするか、照明装置１の各光源部をメイン光源にするかを検討する。
例えば、発光体Ｌをメイン光源とする場合、本実施形態の撮影シーンでは、発光体Ｌの色温度が３５００Ｋであるため、被写体Ｓの周辺部を照らす可動光源部４の色温度を３５００Ｋに設定している。
また、固定光源部３の照明光Ｌ３は、被写体Ｓの目にキャッチアイを入れるために用いており、その色温度を５４００Ｋに設定し、強度は抑えて使用している。
このようなミックス光源による撮影によれば、全体に色温度を３５００Ｋのように低くすることで暖かい画像となり、目には色温度５４００Ｋのキャッチライトを入れるために照明光Ｌ３を被写体Ｓに弱くあてることによって自然な写真となる。
【００６３】
照明光Ｌ３が強すぎると、図１２（ｂ）に模式的に示すように、被写体Ｓも背景部ＢＧの略均等に照明されるため、それぞれから陰影が飛んで立体感の少ない平板的な画像になってしまい、さらに、被写体Ｓの輪郭に沿って濃い影ＳＨが発生してしまう。
しかし、単に照明光Ｌ３が暗いだけであると、露出不足になり、例えば、図１２（ｃ）に模式的に示すように、発光体Ｌの照射範囲外の被写体Ｓ、背景部ＢＧの細部が潰れてしまい、階調性に乏しい画像になってしまう。
そこで、本実施形態では、各可動光源部４の照明光をバウンス光として用いることにより光量不足を補う。
【００６４】
各可動光源部４は、回動支持部５と傾動支持部７とを有しているため、投光部６を手に持って移動することにより、各照明光軸の方向を容易に変更することができる。
例えば、図１１に示すように、可動光源部４Ｒの照射光軸Ｏ４Ｒを右斜め上方、可動光源部４Ｍの照射光軸Ｏ４Ｍを正面の上方、可動光源部４Ｌの照射光軸Ｏ４Ｌを左斜め後方に、というようにそれぞれの向きを独立に設定することができる。
【００６５】
なお、これらの方向の設定は、一例であって、撮影シーンの壁体等の反射体の配置を見て、良好なバウンス光が得られる方向に各可動光源部４を向ければよい。本実施形態では、可動光源部４が３個あるため、バウンス光を最大３方向から照射することができる。
例えば、図１に示すように、可動光源部４Ｒを側面壁１０２に向けて照明光Ｌ４Ｒを、可動光源部４Ｍを天井１０３に向けて照明光Ｌ４Ｍを、可動光源部４Ｌを側面壁１０２に対向する図示略の側面壁に向けて照明光Ｌ４Ｌをそれぞれ照射することによって、それぞれ、側面壁１０２、天井１０３、図示略の側面壁から被写体Ｓおよびその周辺に向かうバウンス光を形成することができる。
【００６６】
このようにして、照明装置１の設定、および各可動光源部４の照射光軸の調整が終了すると、撮影を開始することができる。
カメラ３０による撮影動作は、従来のデジタルカメラと同様である。すなわち、カメラ本体３１の十字ボタン３５や操作ボタン３７を操作して、露出設定のための撮影モードを選択したり、照明装置１の発光モードを選択したりした後、リリースボタン３９を押す。
これにより、撮影モードに応じたシャッタースピードと絞り値の組合せに基づいて撮影動作が開始される。その際、発光モードに応じて、照明装置１の固定光源部３、各可動光源部４が発光して、被写体Ｓが撮像される。このようにして、例えば、図１２（ａ）に示すような、画像が得られる。以上で、撮影が終了する。
【００６７】
照明装置１は、複数の光源部として、固定光源部３と可動光源部４Ｒ、４Ｍ、４Ｌとを備えるため、照明光の照射光軸の方向を最大４方向に設定できるとともに、各照明光の照射光軸を容易に変更することができる。
このため、例えば、各可動光源部４からの照明光を複数の方向から被写体Ｓに照査されるバウンス光として用いることにより、被写体Ｓや背景部ＢＧの明るさや陰影の出方を調整することができる。
例えば、ある程度の陰影を残すことにより立体感のある画像を撮影することができる。
また、屋内では強烈な照明光が一方向から当たっていることは少なく、被写体は間接照明や壁面反射などによって種々の方向から照明されている。このため、撮影用の照明光も、多方向からの照明光を組み合わせることにより、より自然な画像を撮影することができる。
さらに、照明装置１では、固定光源部３、各可動光源部４の発光量、色温度を個別に調整することができる。このため、撮影シーンの状況に合わせて、不自然にならない照明光を照射することができる。
【００６８】
このような照明光の調整は、従来、撮影助手が被写体の周囲でバウンス板を構えたり、色温度を変えた多数の補助照明装置を被写体の周囲に配置したりすることによって、初めて可能であった。このため、多くの人手や機材が必要となり、容易に行える作業ではなかった。
本実施形態では、照明装置１のみを用いて撮影者自身で同様な調整を行うことができるため、高品位の撮影を容易に行うことができる。
【００６９】
これに対して、単灯のストロボ撮影では、被写体の正面から強い照明光が照射されるため、被写体の輪郭に沿って濃い影ができてしまう。バウンス撮影により、このような影を低減することも行われているが、バウンス撮影ができる従来のストロボ装置は、固定光源とバウンス光源を一つずつ備えるのみであるため、バウンス光の向きは一定方向に限定されていた。このため、バウンス光による被写体の影が現れて不自然な画像になってしまう場合があった。
【００７０】
以上は、カメラ３０による静止画撮影の動作を説明したが、カメラ３０は、動画撮影も可能である。
この場合、照明装置１は、固定光源部３、各可動光源部４を連続発光させる点が異なるのみである。このため、動画撮影においても、静止画撮影の場合と同様に、従来に比べて容易に映像品質を向上することができる。
【００７１】
［第１変形例］
次に、本実施形態の第１変形例の撮影用照明装置および撮像装置について説明する。
図１３（ａ）、（ｂ）は、本発明の第１の実施形態の第１変形例の撮影用照明装置に用いるＬＥＤ光源の一例および他例を示す模式的な正面図である。
【００７２】
図２、３に示すように、本変形例の照明装置１Ａ（撮影用照明装置）は、上記第１の実施形態の照明装置１の固定光源部３、各可動光源部４に代えて、固定光源部７３（光源部、色温度可変光源）、各可動光源部７４（光源部、色温度可変光源）を備える。照明装置１Ａは、図２に示すように、上記第１の実施形態の照明装置１に代えてカメラ３０の一部として用いることができる。
固定光源部７３は、図５に示すように、上記第１の実施形態の固定光源部３の発光素子部１０Ａに代えて、発光素子部７０Ａを備える。
可動光源部７４は、図８（ａ）に示すように、上記第１の実施形態の可動光源部４の発光素子部２０Ａに代えて、発光素子部７２Ａを備える。
以下、上記第１の実施形態と異なる点を中心に説明する。
【００７３】
発光素子部７０Ａは、図１３（ａ）に示すように、上記第１の実施形態の発光素子部１０Ａの白色ＬＥＤ１０ａ、１０ｂ、１０ｃに代えて、赤色光を発光する赤色ＬＥＤ７０ｒ、緑色光を発光する緑色ＬＥＤ７０ｇ、青色光を発光する青色ＬＥＤ７０ｂを備える。
これらは、２個の緑色ＬＥＤ７０ｇと、赤色ＬＥＤ７０ｒおよび青色ＬＥＤ７０ｂとをそれぞれ対角に配置して、２×２の単位ユニットを構成し、この単位ユニットが矩形領域内に２次元格子状に配列されている。
【００７４】
発光素子部７２Ａは、図１３（ａ）に示すように、上記第１の実施形態の発光素子部２０Ａの白色ＬＥＤ１０ａ、１０ｂ、１０ｃに代えて、赤色ＬＥＤ７０ｒ、緑色ＬＥＤ７０ｇ、青色ＬＥＤ７０ｂを備える。ただし、これら赤色ＬＥＤ７０ｒ、緑色ＬＥＤ７０ｇ、青色ＬＥＤ７０ｂは、それぞれの配置個数を、可動光源部７４に必要な色温度範囲、発光量可変範囲に応じて設定した点が、発光素子部７０Ａと異なる。
【００７５】
発光素子部７０Ａ（７２Ａ）は、上記第１の実施形態の発光素子部１０Ａ（２０Ａ）と同様、図１３（ｂ）に示すような、赤色ＬＥＤ７０ｒ、緑色ＬＥＤ７０ｇ、青色ＬＥＤ７０ｂが１個ずつ配置された発光素子部７０Ｂ、７２Ｂに置き換えることも可能である。
【００７６】
本変形例の照明装置１Ａによれば、制御部４１によって、赤色ＬＥＤ７０ｒ、緑色ＬＥＤ７０ｇ、青色ＬＥＤ７０ｂの発光量をそれぞれ個別に制御することにより、照明光の色温度を変更することができる。このため、上記第１の実施形態と同様な高品位の撮影を容易に行うことができる。
【００７７】
［第２の実施形態］
次に、本発明の第２の実施形態の撮影用照明装置について説明する。
図１４は、本発明の第２の実施形態の撮影用照明装置の概略構成を示す模式的な斜視図である。
【００７８】
図１４に示すように、本実施形態の照明装置１Ｂ（撮影用照明装置）は、上記第１の実施形態の照明装置１の可動光源部４Ｒ、４Ｍ、４Ｌに代えて、これらと同様な構成を有する４個の可動光源部４を備える。それぞれの配置位置を区別する場合、可動光源部４ＴＲ、４ＴＬ、４ＳＲ、４ＳＬと称する。
以下、上記第１の実施形態と異なる点を中心に説明する。
【００７９】
なお、可動光源部４の個数が増えることにより発生する変更点は、容易に理解されるため、詳しい説明は省略する。例えば、制御部４１は、４個の可動光源部４が駆動可能な回路構成を備える。また、例えば、操作部９は、４個の可動光源部４の発光強度レベル、色温度をそれぞれ独立に設定する操作部を備える。
また、照明装置１Ｂは、照明装置１と同様に接続部８を備えるため、カメラ本体３１のホットシュー３３に接続することにより、上記第１の実施形態の照明装置１に代えてカメラ３０の一部として用いることができる。
【００８０】
可動光源部４ＴＲ、４ＴＬは、本体部２の上面に、本体部２の背面側から見て、右側および左側の位置に設けられている。
可動光源部４ＳＲ（４ＳＬ）は、本体部２の背面側から見て、右（左）側となる右（左）側面に設けられている。
これら可動光源部４の構成は、上記第１の実施形態と全く同様であるため、可動光源部４ＴＲ、４ＴＬは、互いに干渉しない範囲では、本体部２の上面より上側の半球面の任意方向に照射光軸Ｏ４ＴＲ、Ｏ４ＴＬを向けること可能である。図１４に示す配置位置では、互いが左右方向の中心に向くと干渉してしまうが、本実施形態では、本体部２の上面には２個のみが配置されるため、互いの配置間隔を十分離すことで、干渉しない位置関係に配置することも可能である。
また、可動光源部４ＳＲ（４ＳＬ）は、本体部２の右（左）側面より右（左）側の半球面の任意方向に照射光軸Ｏ４ＳＲ、Ｏ４ＳＬを向けること可能である。このため、照明装置１とは異なり、照明光を床面１００（図１参照）に向けることも可能である。
したがって、例えば、屋内撮影において、左右の側面壁、天井、背面壁（床面）の４面を反射面とするバウンス光を形成することが可能である。
【００８１】
本実施形態の照明装置１Ｂによれば、複数の光源部として、固定光源部３と可動光源部４ＴＲ、４ＴＬ、４ＳＲ、４ＳＬとを備えるため、照明光の照射光軸の方向を最大５方向に設定できるとともに、各照明光の照射光軸を容易に変更することができる。また、各可動光源部４は、発光強度と色温度を独立して変更することができる。
これにより、カメラ本体３１に接続して撮影を行う際に、最大４方向のバウンス光を用いて、陰影や色温度を調整して、高品位の撮影を容易に行うことができる。
【００８２】
［第３の実施形態］
次に、本発明の第３の実施形態の撮像装置について説明する。
図１５は、本発明の第３の実施形態の撮像装置の概略構成を示す模式的な斜視図である。
【００８３】
図１５に示すように、本実施形態の撮像装置である監視カメラ８０は、撮像光学系８０ｂを内蔵するカメラ本体８０ｃと、カメラ本体８０ｃを天井１０３から吊り下げて保持する保持アーム８１と、カメラ本体８０ｃの上面に固定された照明装置１とを備える。
【００８４】
カメラ本体８０ｃは、細長い直方体状の外形を有し、その長手方向の一端側の上面において保持アーム８１と接続されている。また、カメラ本体８０ｃの長手方向の他端側の側面は、撮影光を取り込むために透光性を有する保護カバー８０ａが嵌め込まれている。
撮像光学系８０ｂは、保護カバー８０ａから入射する光を集光して、図示略の撮像素子上に結像するものである。撮像光学系８０ｂおよび図示略の撮像素子は、カメラ本体８０ｃの長手方向に沿う光軸Ｏ８０ｂ上に配置されている。
【００８５】
保持アーム８１は、カメラ本体８０ｃの姿勢や位置を変更可能な可動機構が設けられていてもよいが、本実施形態では、カメラ本体８０ｃの姿勢や位置は固定されている。図１５には、一例として、光軸Ｏ８０ｂの向きが、屋内の壁１０５、１０６に挟まれた隅部の天井１０３の近傍から、斜め下方に向けられている場合の例を示している。
【００８６】
照明装置１は、カメラ本体８０ｃの長手方向の他端側の上面に形成された図示略の接続シューに対して、上記第１の実施形態と同様に、接続部８（図４参照、図１５では図示略）を介して接続されている。
照明装置１の接続姿勢は、固定光源部３の照射光軸が光軸Ｏ８０ｂと平行であって、照明光Ｌ３が撮像光学系８０ｂの画角範囲に照射できるよう設定されている。
照明装置１の可動光源部４Ｒ、４Ｍ、４Ｌは、撮像光学系８０ｂの画角範囲に現れる被写体Ｓに対するバウンス光を発生できるように予め各照明光軸の姿勢が調整されている。
例えば、可動光源部４Ｒは、照明光Ｌ４Ｒが壁１０５に反射してから被写体Ｓに照射される向きに設定されている。可動光源部４Ｍは、照明光Ｌ４Ｍが天井１０３に反射してから被写体Ｓに照射される向きに設定されている。可動光源部４Ｌは、照明光Ｌ４Ｌが壁１０６に反射してから被写体Ｓに照射される向きに設定されている。
これらのバウンス光の方向や発光強度は、被写体Ｓを良好に撮影できるように設定しておく。例えば、屋内の主照明によって、被写体Ｓ上に発生する影をなるべく打ち消すように設定する。これにより、例えば、被写体Ｓが人の場合、表情や衣服の特徴的な部位が、影に隠れることが少ない画像を撮像することが可能になっている。
【００８７】
固定光源部３、可動光源部４Ｒ、４Ｍ、４Ｌの色温度は、例えば、主照明と同様な色温度として、違和感が生じない設定とすることができる。
また、外光の影響により時間帯によって屋内の照明の色温度が変わる場合に、予めその色温度の変化を調べておき、その色温度の変化に応じて、照明装置１の照明光の色温度を時間的に変化させる設定としてもよい。
【００８８】
本実施形態の監視カメラ８０によれば、撮像光学系８０ｂの前方の画角範囲に入った被写体Ｓの静止画撮影と動画撮影とを行うことができる。静止画撮影では固定光源部３、可動光源部４Ｒ、４Ｍ、４Ｌをストロボ発光させ、動画撮影では、固定光源部３、可動光源部４Ｒ、４Ｍ、４Ｌを連続発光させる。
その際、照明装置１は、可動光源部４Ｒ、４Ｍ、４Ｌの照射光軸の向きを調整しておくことでバウンス光が照射されるため、被写体Ｓを良好に撮影することができる。例えば、主照明による影が発生しにくいように、バウンス光の方向が調整されている場合には、被写体Ｓの表情、衣服、外観などが、影によってあまりつぶれることなく撮影することができる。このため、被写体Ｓの特徴を容易に識別することができる高品位の画像を取得することができる。
さらに、固定光源部３、可動光源部４Ｒ、４Ｍ、４Ｌの色温度が、撮影シーンの主照明の色温度に合わされている場合には、撮影シーンにおける実際の色味に近い状態で被写体Ｓを撮影することができる。また、照明光が目立ちにくくなる。
【００８９】
監視カメラ８０が設置される環境に設けられた照明機器は、必ずしも撮影に好適な光量や照射方向を有しているとは限らない。しかし、本実施形態の監視カメラ８０によれば、照明装置１を備えることにより、監視カメラ８０が設置される環境に応じて、撮影目的に合う照明光を容易に設定することができる。
【００９０】
なお、上記の各実施形態、第１変形例の説明では、撮影用照明装置の可動光源部が３個または４個の場合の例で説明したが、可動光源部は、２個以上であれば、何個でもよい。
可動光源部によってバウンス光を形成する場合、互いに交差する２方向から照射することができれば、それぞれのバウンス光によって発生する被写体Ｓの影を互いに和らげることができる。また、固定光源部で発生する被写体の外周の影が発生する場合も、被写体Ｓを挟む２方向からバウンス光を照射することで、影の発生を抑制することができる。
可動光源部の個数が、３個以上の場合、複数個の可動光源部の照射方向を同方向に合わせることにより、実質的に、可動光源部の個数を減らしたのと同じ使い方をしてもよい。
また、撮影シーンや撮影意図によって、２方向以上のバウンス光を用いる必要がない場合には、複数の可動光源部の向きを合わせて、実質的に１方向のみのバウンス光が発生するようにしてもよい。
また、例えば、図１、４に示すように、固定光源部の照射光軸と合わせて実質的にすべての可動光源部が固定光源部として機能するように設定してもよい。
【００９１】
また、上記の各実施形態、第１変形例の説明では、固定光源部および各可動光源部はすべてＬＥＤ光源を有しており、かつ照明光の色温度を個別に変更できる色温度可変光源である場合の例で説明したが、照明光の色温度は固定でもよく、色温度を変更することは必須ではない。
したがって、固定光源部および各可動光源部のうちの１以上の光源部は、色温度可変光源以外の光源を採用してもよい。
また各光源部は、ＬＥＤ光源には限定されず、例えば、キセノン管などを用いたストロボ光源などであってもよい。
【００９２】
また、上記の各実施形態、第１変形例の説明では、可動光源部の可動範囲は、回動および傾動の中心から半球面の任意方向に照射光軸を向けることができる場合の例で説明したが、可動光源部の可動範囲は、必要に応じてこれよりも狭い範囲や広い範囲において適宜適宜設定することができる。
また、可動光源部は、連続的に傾動される構成には限定されず、照射光軸の方向を離散的に変更できる構成としてもよい。
また、可動光源部は少なくとも傾動可能に固定されていればよく、回動支持部を省略した構成とすることができる。
【００９３】
また、上記の各実施形態、第１変形例の説明では、複数の光源部が可視光を発光する場合の例で説明したが、赤外光や紫外光を含む光を発光する光源部や、赤外光や紫外光のみを発光する光源部などを備えていてもよい。
例えば、赤外光を発光する光源部を有することにより赤外光撮影が可能となる。
【００９４】
また、上記の各実施形態、第１変形例の説明では、撮影用照明装置を撮像装置の一部に組み込んで用いる場合の例で説明したが、撮影用照明装置は、撮像装置とは独立に設置した状態で用いてもよい。
例えば、発光をシャッターリリースに同期させる必要のない動画撮影の場合に、被写体に対して、１台の撮影用照明装置を設置し、これとは独立した複数の撮像装置によって被写体の撮影を行う、といったことが可能である。
【００９５】
また、上記の第１の実施形態の説明では、照明装置１における発光強度、色温度等を、照明装置１の操作部９を操作することで設定する場合の例で説明したが、照明装置１がカメラ本体３１に接続されている場合には、カメラ本体３１の操作部である十字ボタン３５、操作ボタン３７、液晶モニタ３４などを用いて設定するようにしてもよい。すなわち、カメラ本体３１の操作部を、色温度設定操作部として用いる構成が可能である。
【００９６】
また、上記の第１の実施形態の説明では、色温度設定操作部は、色温度設定表示部５１によって色温度を直接的に表示して、操作を行う場合の例で説明したが、色温度設定表示部５１に色温度が直接的に表示されないようにしてもよい。例えば、照明光の色味に関する選択肢を表示したり、色温度が異なる撮影シーンの種類や撮影用途に対応する選択肢を示したりしてもよい。
この場合、色温度に関する知識がない操作者でも、容易に色温度の設定が可能となる。
【００９７】
また、上記の第１の実施形態の説明では、第１メモリ操作部４４、第２メモリ操作部４５によって、２種類の設定値を登録したり、読み出したりできる場合の例で説明したが、さらに操作部の数を増やして３種類以上の設定値を登録したり、読み出したりできるようにしてもよい。
また、デフォルトの設定値を複数種類用意しておき、第１メモリ操作部４４および第２メモリ操作部４５には、これらのデフォルトの設定値を選択する機能のみを持たせてもよい。
【００９８】
また、上記の第３の実施形態の説明では、保持アーム８１がカメラ本体８０ｃの位置、姿勢を固定した状態に保持する場合の例で説明したが、保持アーム８１に関節等の移動機構を設け、カメラ本体８０ｃを可動支持する構成としてもよい。
この場合、照明装置１の各可動光源部４における回動支持部５、傾動支持部７などをモータ駆動して、各投光部６の向きを制御できるようにしてもよい。このとき、各投光部６の制御は、例えば、カメラ本体８０ｃの動きに応じて、各可動光源部４からのバウンス光が撮影範囲に照射されるように制御することが好ましい。
【００９９】
また、上記の各実施形態、第１変形例の説明では、撮影用照明装置が、カメラ３０または監視カメラ８０からなる撮像装置による撮影に用いられる場合の例で説明したが、撮像装置は、被写体を撮像する装置であればよく、カメラ装置には限定されない。例えば、本発明の撮影用照明装置を、顕微鏡、内視鏡等のその他の撮像装置に接続したり、これらの撮像装置とともに用いたりすることが可能である。
【０１００】
また、上記の各実施形態、第１変形例で説明したすべての構成要素は、本発明の技術的思想の範囲で適宜組み合わせたり、削除したりして実施することができる。
【符号の説明】
【０１０１】
１、１Ａ、１Ｂ  照明装置（撮影用照明装置）
２  本体部（装置本体部）
３、７３  固定光源部（光源部、色温度可変光源）
４、４Ｒ、４Ｍ、４Ｌ、４ＴＲ、４ＴＬ、４ＳＲ、４ＳＬ、７４  可動光源部（光源部、色温度可変光源）
５  回動支持部
６  投光部
７  傾動支持部
８  接続部
９  操作部
１０Ａ、１０Ｂ、２０Ａ、２０Ｂ、７０Ａ、７０Ｂ、７２Ａ、７２Ｂ  発光素子部
１０ａ、１０ｂ、１０ｃ  白色ＬＥＤ（ＬＥＤ光源）
１１、２１  回路基板
１２  青色ＬＥＤチップ
１７Ａ、１７Ｂ  蛍光材料
３０  カメラ（撮像装置）
３１、８０ｃ  カメラ本体（撮像装置本体）
３２  レンズ部（撮像光学系）
３３  ホットシュー
３５  十字ボタン
３６  モードダイヤル
３７  操作ボタン
３９  リリースボタン
４１  制御部
４２  メモリ
４３Ｆ、４３Ｒ、４３Ｍ、４３Ｌ  ＬＥＤドライバ
４４  第１メモリ操作部
４５  第２メモリ操作部
４６  モード操作部
４７  発光強度レベル操作部
４８  色温度設定操作部
５０  発光強度設定表示部
５１  色温度設定表示部
７０ｂ  青色ＬＥＤ
７０ｇ  緑色ＬＥＤ
７０ｒ  赤色ＬＥＤ
８０  監視カメラ（撮像装置）
８０ｂ  撮像光学系
Ｏ５  回動軸線（第１の軸線）
Ｏ３、Ｏ４、Ｏ４Ｒ、Ｏ４Ｍ、Ｏ４Ｌ、Ｏ４ＴＲ、Ｏ４ＴＬ、Ｏ４ＳＲ、Ｏ４ＳＬ、  照射光軸
Ｓ  被写体
【図１】
2014081474.tif 000003
【図２】
2014081474.tif 000004
【図３】
2014081474.tif 000005
【図４】
2014081474.tif 000006
【図５】
2014081474.tif 000007
【図６】
2014081474.tif 000008
【図７】
2014081474.tif 000009
【図８】
2014081474.tif 000010
【図９】
2014081474.tif 000011
【図１０】
2014081474.tif 000012
【図１１】
2014081474.tif 000013
【図１２】
2014081474.tif 000014
【図１３】
2014081474.tif 000015
【図１４】
2014081474.tif 000016
【図１５】
2014081474.tif 000017